(57)【要約】【課題】各雄コネクタをスライド方式で接続する拡張式プラグ受けを提供する。【解決手段】拡張式プラグ受けは、雌コネクタ１０及び雄コネクタ２０を備える。雌コネクタ１０の外縁には、接続部１１が設けられる。雌コネクタ１０には、第１の電極リード１２及び第２の電極リード１３が配設される。第１の電極リード１２及び第２の電極リード１３は、電源の両極と電気的に接続される。第１の電極リード１２及び第２の電極リード１３には、少なくとも１つの当接部１２１が設けられる。第１の電極リード１２及び第２の電極リード１３は、少なくとも１つの当接部１２１が露出された状態で各接続部１１に設置される。接続部１１は、保持壁１４をそれぞれ有する。保持壁１４は、第１の係合部１４１を有する。雄コネクタ２０には、第１のリード２１と、第２のリード２２と、少なくとも１組の差し込み口２３とが取り付けられる。【選択図】図１
0003210523.tif 000002
【実用新案登録請求の範囲】
【請求項１】
雌コネクタ及び雄コネクタを備えた拡張式プラグ受けであって、
雌コネクタの外縁には、接続部が設けられ、雌コネクタには、第１の電極リード及び第２の電極リードが配設され、第１の電極リード及び第２の電極リードは、電源の両極と電気的に接続され、第１の電極リード及び第２の電極リードには、少なくとも１つの当接部が設けられ、第１の電極リード及び第２の電極リードは、少なくとも１つの当接部が露出された状態で各接続部に設置され、接続部は、保持壁をそれぞれ有し、保持壁は、第１の係合部を有し、
雄コネクタには、第１のリードと、第２のリードと、少なくとも１組の差し込み口とが取り付けられ、各差し込み口の各穴部を導電挟持片へそれぞれ位置合わせし、導電挟持片は、第１のリードと電気的に接続され、他方の導電挟持片は、第２のリードと電気的に接続され、雄コネクタの外縁には突合せ部が設けられ、第１のリード及び第２のリードにおける第１の端部には、当接段が露出された状態で突合せ部に設けられ、突合せ部は、フック片を有し、フック片上には、第２の係合部が設けられ、フック片は、雌コネクタの保持壁の一側にスライド可能に係合され、第１の係合部と第２の係合部とが互いに係合されると、第１のリードの当接段が第１の電極リードの当接部と当接され、第２のリードの当接段が第２の電極リードの当接部と当接され、雄コネクタは、接続端を有し、接続端は、保持壁部を有し、保持壁部は、第１のフック部を有し、第１のリード及び第２のリードからはサブ当接段がそれぞれ延びて露出された状態で接続端に設けられ、保持壁部は、他方の雄コネクタにおけるフック片の一側にスライド可能に係合され、第１のフック部と、雄コネクタに係合する第２の係合部とが係合するとき、雄コネクタの第１のリード及び第２のリードのサブ当接段が、他方の雄コネクタに係合する第１のリード及び第２のリードの当接段に対応して当接され、雌コネクタの電源が各雄コネクタ上の各差し込み口に円滑に導通され、差し込んだ電気製品へ給電することを特徴とする拡張式プラグ受け。
【請求項２】
雌コネクタの各接続部には、第１のスライド溝及び第２のスライド溝が形成され、
第１の電極リードの当接部は、第１のスライド溝中に位置するとともに、雄コネクタにおける第１のリードの当接段が第１のスライド溝内にスライド可能に設置され、第２の電極リードの当接部が第２のスライド溝中に設けられるとともに、雄コネクタにおける第２のリードの当接段が第２のスライド溝内にスライド可能に設けられることを特徴とする請求項１に記載の拡張式プラグ受け。
【請求項３】
雌コネクタの第１のスライド溝は、第１の溝壁及び第２の溝壁を有し、第１の溝壁及び第２の溝壁は、第１の電極リードの当接部と第１のリードの当接段とを挟み込み、第１の電極リードの当接部と第１のリードの当接段とが安定して電気的に接続され、
第２のスライド溝は、第１の壁部及び第２の壁部を有し、第１の壁部及び第２の壁部は、第２の電極リードの当接部と、第２のリードの当接段とを挟み込み、第２の電極リードの当接部と第２のリードの当接段とが安定して電気的に接続されることを特徴とする請求項２に記載の拡張式プラグ受け。
【請求項４】
雄コネクタの各接続端には、第１の雄スライド溝及び第２の雄スライド溝が形成され、
第１のリードのサブ当接段は、第１の雄スライド溝に露出された状態で設置され、他方の雄コネクタにおける第１のリードの当接段が第１の雄スライド溝内にスライド可能に配設され、第２のリードのサブ当接段は、第２の雄スライド溝に露出された状態で配設され、他方の雄コネクタにおける第２のリードの当接段は、第２の雄スライド溝内にスライド可能に配設されることを特徴とする請求項１に記載の拡張式プラグ受け。
【請求項５】
第１の雄スライド溝は、第１の壁面及び第２の壁面を有し、第１の壁面及び第２の壁面は、第１のリードのサブ当接段と、他方の雄コネクタに接合された第１のリードの当接段とに挟み込み、第１のリードのサブ当接段と、接合された雄コネクタにおける第１のリードの当接段とがより安定して電気的に接続され、
第２の雄スライド溝は、第１の壁面及び第２の壁面を有し、第１の壁面及び第２の壁面は、第２のリードのサブ当接段と、接合された雄コネクタにおける第２のリードの当接段とを挟み込み、第２のリードのサブ当接段と、接合された雄コネクタの第２のリードの当接段とが安定して電気的に接続されることを特徴とする請求項４に記載の拡張式プラグ受け。
【請求項６】
雄コネクタに取り付ける第１のリードは、一体成形された当接段及び各サブ当接段を有し、
雄コネクタに取り付ける第２のリードは、一体成形された当接段及び各サブ当接段を有することを特徴とする請求項１に記載の拡張式プラグ受け。
【請求項７】
第１のリード及び第２のリードの当接段は、９０度に折り曲げられて雄コネクタの突合せ端の端面に対して平行であることを特徴とする請求項１に記載の拡張式プラグ受け。
【請求項８】
雌コネクタの各接続部には、接地端子がそれぞれ設けられ、
各接地端子は、接地回路と接続され、
雄コネクタの各突合せ部及び接続端は、接地部を有し、
接地部は、雌コネクタの接地端子と当接されるか、他方の雄コネクタの接地部と当接され、
雄コネクタの導電挟持片は、各接地部と電気的に接続されることを特徴とする請求項１に記載の拡張式プラグ受け。
【請求項９】
雌コネクタの第１の電極リード及び第２の電極リードと電源との間には、制御スイッチが接続されることを特徴とする請求項１に記載の拡張式プラグ受け。
【請求項１０】
雌コネクタは、少なくとも１組の電源差し込み口を有し、
各組の電源差し込み口の各穴部は、電源導電挟持片へそれぞれ位置合わせされ、
一方の電源導電挟持片は、第１の電極リードと電気的に接続され、他方の電源導電挟持片は、第２の電極リードと電気的に接続されることを特徴とする請求項１に記載の拡張式プラグ受け。
【考案の詳細な説明】
【技術分野】
【０００１】
本考案は、拡張式プラグ受けに関し、特に、各雄コネクタをスライド方式で接続する拡張式プラグ受けに関する。
【背景技術】
【０００２】
従来の電源延長線は、本体を含む。本体は、複数個の電気製品のプラグを差し込む複数個の差し込み口を有する。しかし、従来における電源延長線の差し込み口の数は、全てのユーザを満足させることができず、ユーザの必要性に応じて差し込み口の数を自在に増減させることができなかったため、改良が求められていた。
【０００３】
特許文献１では、ユーザの必要性に応じて電源の差し込み口の数を自在に増減させる電源差し込み口が開示されている。特許文献１で開示されているプラグ受け構造は、本体の一端面上にプラグが突設され、本体の他の５個の端面には、差し込み口がそれぞれ形成されている。一方の本体に突設されたプラグを他方の本体の差し込み口に差し込むと、２個の本体の各差し込み口が電気的に導通し、電気製品に給電することができる。
【０００４】
上述した特許文献１は、差し込み口の数を自在に増減できなかった従来の問題点を改善することができるが、図１４に示すように、本体５０の一端面上に設けられたプラグ５１が互いに平行な１対の挿入片で構成され、他方の本体５０の差し込み口５２に挿入されると、分離防止構造が備えられていないため、プラグ５１に対して平行な外力Ｆが本体（５０、仮想線で示す）の一つに作用すると、挿着されていた本体５０が分離されて電源が遮断されることがあり、給電が不安定であった。また、特許文献１は、他方の本体５０に接続するプラグ５１を用い、本体５０の端面が外方へ平坦状に突出されたプラグ５１を有するため、携帯したり収納したりすることが容易でないという欠点があり、改良が求められていた。
【０００５】
そのため、本考案者は、上述したような従来の問題点を改善する拡張式プラグ受けを開発した。
【先行技術文献】
【特許文献】
【０００６】
【特許文献１】台湾実用新案登録第Ｍ４９８９７８号公報
【考案の概要】
【考案が解決しようとする課題】
【０００７】
本考案の目的は、各雄コネクタをスライド方式で接続する拡張式プラグ受けを提供することにある。
【課題を解決するための手段】
【０００８】
上記課題を解決するために、本考案の第１の形態によれば、雌コネクタ及び雄コネクタを備えた拡張式プラグ受けであって、雌コネクタの外縁には、接続部が設けられ、雌コネクタには、第１の電極リード及び第２の電極リードが配設され、第１の電極リード及び第２の電極リードは、電源の両極と電気的に接続され、第１の電極リード及び第２の電極リードには、少なくとも１つの当接部が設けられ、第１の電極リード及び第２の電極リードは、少なくとも１つの当接部が露出された状態で各接続部に設置され、接続部は、保持壁をそれぞれ有し、保持壁は、第１の係合部を有し、雄コネクタには、第１のリードと、第２のリードと、少なくとも１組の差し込み口とが取り付けられ、各差し込み口の各穴部を導電挟持片へそれぞれ位置合わせし、導電挟持片は、第１のリードと電気的に接続され、他方の導電挟持片は、第２のリードと電気的に接続され、雄コネクタの外縁には突合せ部が設けられ、第１のリード及び第２のリードにおける第１の端部には、当接段が露出された状態で突合せ部に設けられ、突合せ部は、フック片を有し、フック片上には、第２の係合部が設けられ、フック片は、雌コネクタの保持壁の一側にスライド可能に係合され、第１の係合部と第２の係合部とが互いに係合されると、第１のリードの当接段が第１の電極リードの当接部と当接され、第２のリードの当接段が第２の電極リードの当接部と当接され、雄コネクタは、接続端を有し、接続端は、保持壁部を有し、保持壁部は、第１のフック部を有し、第１のリード及び第２のリードからはサブ当接段がそれぞれ延びて露出された状態で接続端に設けられ、保持壁部は、他方の雄コネクタのフック片における一側にスライド可能に係合され、第１のフック部と、雄コネクタに係合する第２の係合部とが係合するとき、雄コネクタの第１のリード及び第２のリードのサブ当接段が、他方の雄コネクタに係合する第１のリード及び第２のリードの当接段に対応して当接され、雌コネクタの電源が各雄コネクタ上の各差し込み口に円滑に導通され、差し込んだ電気製品へ給電することを特徴とする拡張式プラグ受けが提供される。
【０００９】
雌コネクタの各接続部には、第１のスライド溝及び第２のスライド溝が形成され、第１の電極リードの当接部は、第１のスライド溝中に位置するとともに、雄コネクタにおける第１のリードの当接段が第１のスライド溝内にスライド可能に設置され、第２の電極リードの当接部が第２のスライド溝中に設けられるとともに、雄コネクタにおける第２のリードの当接段が第２のスライド溝内にスライド可能に設けられることが好ましい。
【００１０】
雌コネクタの第１のスライド溝は、第１の溝壁及び第２の溝壁を有し、第１の溝壁及び第２の溝壁は、第１の電極リードの当接部と第１のリードの当接段とを挟み込み、第１の電極リードの当接部と第１のリードの当接段とが安定して電気的に接続され、第２のスライド溝は、第１の壁部及び第２の壁部を有し、第１の壁部及び第２の壁部は、第２の電極リードの当接部と、第２のリードの当接段とを挟み込み、第２の電極リードの当接部と第２のリードの当接段とが安定して電気的に接続されることが好ましい。
【００１１】
雄コネクタの各接続端には、第１の雄スライド溝及び第２の雄スライド溝が形成され、第１のリードのサブ当接段は、第１の雄スライド溝に露出された状態で設置され、他方の雄コネクタにおける第１のリードの当接段が第１の雄スライド溝内にスライド可能に配設され、第２のリードのサブ当接段は、第２の雄スライド溝に露出された状態で配設され、他方の雄コネクタにおける第２のリードの当接段は、第２の雄スライド溝内にスライド可能に配設されることが好ましい。
【００１２】
第１の雄スライド溝は、第１の壁面及び第２の壁面を有し、第１の壁面及び第２の壁面は、第１のリードのサブ当接段と、他方の雄コネクタに接合された第１のリードの当接段とに挟み込み、第１のリードのサブ当接段と、接合された雄コネクタにおける第１のリードの当接段とがより安定して電気的に接続され、第２の雄スライド溝は、第１の壁面及び第２の壁面を有し、第１の壁面及び第２の壁面は、第２のリードのサブ当接段と、接合された雄コネクタの第２におけるリードの当接段とを挟み込み、第２のリードのサブ当接段と、接合された雄コネクタにおける第２のリードの当接段とが安定して電気的に接続されることが好ましい。
【００１３】
雄コネクタに取り付ける第１のリードは、一体成形された当接段及び各サブ当接段を有し、雄コネクタに取り付ける第２のリードは、一体成形された当接段及び各サブ当接段を有することが好ましい。
【００１４】
第１のリード及び第２のリードの当接段は、９０度に折り曲げられて雄コネクタの突合せ端の端面に対して平行であることが好ましい。
【００１５】
雌コネクタの各接続部には、接地端子がそれぞれ設けられ、各接地端子は、接地回路と接続され、雄コネクタの各突合せ部及び接続端は、接地部を有し、接地部は、雌コネクタの接地端子と当接されるか、他方の雄コネクタの接地部と当接され、雄コネクタの導電挟持片は、各接地部と電気的に接続されることが好ましい。
【００１６】
雌コネクタの第１の電極リード及び第２の電極リードと電源との間には、制御スイッチが接続されることが好ましい。
【００１７】
雌コネクタは、少なくとも１組の電源差し込み口を有し、各組の電源差し込み口の各穴部は、電源導電挟持片へそれぞれ位置合わせされ、一方の電源導電挟持片は、第１の電極リードと電気的に接続され、他方の電源導電挟持片は、第２の電極リードと電気的に接続されることが好ましい。
【考案の効果】
【００１８】
本考案の拡張式プラグ受けは、各雄コネクタをスライド方式で接続ことができる。
【図面の簡単な説明】
【００１９】
【図１】図１は、本考案の実施例１に係る拡張式プラグ受けを示す分解斜視図である。
【図２】図２は、図１を組み立てた後の雌コネクタ及び雄コネクタを示す斜視図である。
【図３】図３は、複数個の雌コネクタを直列接続した状態を示す斜視図である。
【図４】図４は、本考案の実施例１に係る拡張式プラグ受けの雌コネクタの第１の電極リード及び第２の電極リードが、雄コネクタの第１のリード及び第２のリードと電気的に接続された状態を示す斜視図である。
【図５】図５は、本考案の実施例１に係る拡張式プラグ受けにおける２個の雄コネクタの第１の導電片及び第２の導電片が、接地部と電気的に接続された状態を示す斜視図である。
【図６】図６は、本考案の実施例１に係る拡張式プラグ受けにおける雌コネクタの第１の電極リードが、雄コネクタの第１のリード及び第２のリードと電気的に接続された状態を示す平面図である。
【図７】図７は、本考案の実施例１に係る拡張式プラグ受けの雌コネクタ及び雄コネクタを示す底面斜視図である。
【図８】図８は、本考案の実施例１に係る拡張式プラグ受けの雌コネクタと雄コクタとを結合した状態を示す部分断面図である。
【図９】図９は、雌コネクタが異なる規格の差し込み口を有する状態を示す斜視図である。
【図１０】図１０は、雌コネクタがＵＳＢ規格の差し込み口を有する状態を示す説明図である。
【図１１】図１１は、本考案の実施例２に係る拡張式プラグ受けの雌コネクタを示す分解斜視図である。
【図１２】図１２は、図１１を組み立てた状態を示す斜視図である。
【図１３】図１３は、図１２を応用した実施例を示す斜視図である。
【図１４】図１４は、従来のプラグ受けが外力を受けて分離した状態を示す説明図である。
【考案を実施するための形態】
【００２０】
以下、本考案の実施例について図に基づいて説明する。なお、これによって本考案が限定されるものではない。
【００２１】
まず、図１〜図１０を参照する。図１〜図１０に示すように、本考案の実施例１に係る拡張式プラグ受けは、雌コネクタ１０と、雌コネクタ１０の外縁に設けた接続部１１と、雌コネクタ１０に配設した第１の電極リード１２及び第２の電極リード１３と、を含む。第１の電極リード１２及び第２の電極リード１３は、電源の両極（電源の正負極）と電気的に接続される。第１の電極リード１２及び第２の電極リード１３には、少なくとも１つの当接部１２１，１３１が設けられ、第１の電極リード１２及び第２の電極リード１３は、少なくとも１つの当接部１２１，１３１が露出された状態で各接続部１１に設置される。各接続部１１は、保持壁１４をそれぞれ有する。
保持壁１４は、第１の係合部１４１を有する。雄コネクタ２０には、第１のリード２１と、第２のリード２２と、少なくとも１組の差し込み口２３とが取り付けられ、各差し込み口２３の各穴部２３１，２３２，２３３を導電挟持片２３１ａ，２３２ａ，２３３ａへそれぞれ位置合わせし、導電挟持片２３１ａは、第１のリード２１と電気的に接続され、他方の導電挟持片２３２ａは、第２のリード２２と電気的に接続され、雄コネクタ２０の外縁には突合せ部２４が設けられ、第１のリード２１及び第２のリード２２における第１の端部には、当接段２１１，２２１が露出された状態で突合せ部２４に設けられる。突合せ部２４は、フック片２５を有する。フック片２５上には、第２の係合部２５１が設けられる。
フック片２５は、雌コネクタ１０の保持壁１４の一側にスライド可能に係合され、第１の係合部１４１と第２の係合部２５１とが互いに係合されると、第１のリード２１の当接段２１１が第１の電極リード１２の当接部１２１と当接され、第２のリード２２の当接段２２１が第２の電極リード１３の当接部１３１と当接される。また、雄コネクタ２０は、接続端２６を有する。
接続端２６は、保持壁部２６１を有する。保持壁部２６１は、第１のフック部２６１ａを有し、第１のリード２１及び第２のリード２２からはサブ当接段２１２，２２２がそれぞれ延びて露出された状態で接続端２６に設けられ、保持壁部２６１は、他方の雄コネクタ２０におけるフック片２５の一側にスライド可能に係合され、第１のフック部２６１ａと、雄コネクタ２０に係合する第２の係合部２５１とを係合すると、図５に示すように、雄コネクタ２０の第１のリード２１及び第２のリード２２のサブ当接段２１２，２２２が、他方の雄コネクタ２０に係合する第１のリード２１及び第２のリード２２の当接段２１１，２２２に対応して当接されると、雌コネクタ１０の電源が各雄コネクタ２０上の各差し込み口２３に円滑に導通し、差し込んだ電気製品へ給電することができる。
【００２２】
図２を参照する。図２に示すように、本考案の実施例１に係る拡張式プラグ受けの雌コネクタ１０は、矩形状の本体を含む。本体は、互いに隣り合う３個の側壁を有し、各側壁上には、接続部１１がそれぞれ設けられる。雌コネクタ１０の形状は、三角形、五角形、八角形などの多角形であり、雌コネクタ１０には、雄コネクタ２０が複数方向へ向かって直列接続されるが、本考案はこれだけに限定されるわけではない。
【００２３】
図１、図２、図７及び図８を参照する。図１、図２、図７及び図８に示すように、本考案の実施例１に係る拡張式プラグ受けは、雌コネクタ１０の各接続部１１に第１のスライド溝１１１及び第２のスライド溝１１２が形成されている。第１の電極リード１２の当接部１２１は、第１のスライド溝１１１中に位置するとともに、雄コネクタ２０における第１のリード２１の当接段２１１を第１のスライド溝１１１内にスライド可能に設置し、第２の電極リード１３の当接部１３１を第２のスライド溝１１２中に設けるとともに、雄コネクタ２０における第２のリード２２の当接段２２１を第２のスライド溝１１２内にスライド可能に設ける。
【００２４】
図７及び図８を参照する。図７及び図８に示すように、本考案の実施例１に係る拡張式プラグ受けにおける雄コネクタ２０の第１のスライド溝１１１は、第１の溝壁１１１ａ及び第２の溝壁１１１ｂを含む。第１の溝壁１１１ａ及び第２の溝壁１１１ｂは、第１の電極リード１２の当接部１２１と第１のリード２１の当接段２１１とを挟み込み、第１の電極リード１２の当接部１２１と第１のリード２１の当接段２１１とを第１の溝壁１１１ａと第２の溝壁１１１ｂとの間で弾性的に当接させて電気的に接続する。また、第２のスライド溝１１２は、第１の壁部１１２ａ及び第２の壁部１１２ｂを含む。第１の壁部１１２ａ及び第２の壁部１１２ｂは、第２の電極リード１３の当接部１３１と、第２のリード２２の当接段２２１とを挟み込み、第２の電極リード１３の当接部１３１と第２のリード２２の当接段２２１とを第１の壁部１１２ａと第２の壁部１１２ｂとの間で弾性的に当接させて電気的に接続する。
【００２５】
図１〜図３を参照する。図１〜図３に示すように、本考案の実施例１に係る拡張式プラグ受けは、雄コネクタ２０が矩形状を呈する本体であり、互いに隣り合う４個の側壁を含み、そのうち１個の側壁は突合せ部２４に成形され、残り３個の側壁は接続端２６に成形される。上述した雄コネクタ２０の形状は、三角形、五角形、六角形その他多角形であり、各雄コネクタ２０を多方向へ向けて直列接続して拡張することができるが、本実施例は本考案の雄コネクタ２０の形状を何ら限定するものではない。
【００２６】
本実施例の拡張式プラグ受けは、図２に示すように、雄コネクタ２０上に形成した差し込み口２３が、台湾、日本又はアメリカの標準規格を満たすか、図９に示すように、雄コネクタ２０ａに形成した差し込み口２３ａが、中国、台湾、ヨーロッパなどで採用されている標準規格を満たすか、図１０に示すように、雄コネクタ２０ｂに形成した差し込み口２３ｂは、ＵＳＢ標準規格を満たす差し込み口であるが、本考案は、差し込み口２３，２３ａ，２３ｂの形式のみに限定されるわけではない。
【００２７】
図１、図２及び図５〜図８を参照する。図１、図２及び図５〜図８に示すように、本考案の実施例１に係る拡張式プラグ受けは、雄コネクタ２０の各接続端２６が、第１の雄スライド溝２６２及び第２の雄スライド溝２６３を有する。第１のリード２１のサブ当接段２１２は、第１の雄スライド溝２６２に露出された状態で設置され、他方の雄コネクタ２０における第１のリード２１の当接段２１１が第１の雄スライド溝２６２内にスライド可能に配設され、第２のリード２２のサブ当接段２２２は、第２の雄スライド溝２６３に露出された状態で配設され、他方の雄コネクタ２０における第２のリード２２の当接段２１１は、第２の雄スライド溝２６３内にスライド可能に配設される。
【００２８】
図５〜図８を参照する。図５〜図８に示すように、本考案の実施例１に係る拡張式プラグ受けの第１の雄スライド溝２６２は、第１の壁面２６２ａ及び第２の壁面２６２ｂを含み、第１の壁面２６２ａ及び第２の壁面２６２ｂは、第１のリード２１のサブ当接段２１２と、他方の雄コネクタ２０に接合された第１のリード２１の当接段２１１とに挟み込み、第１のリード２１のサブ当接段２１２と、接合された雄コネクタ２０における第１のリード２１の当接段２１１とをより安定して電気的に接続する。また、第２の雄スライド溝２６３は、第１の壁面２６３ａ及び第２の壁面２６３ｂを含み、第１の壁面２６３ａ及び第２の壁面２６３ｂは、第２のリード２２のサブ当接段２２２と、接合された雄コネクタ２０における第２のリード２２の当接段２２１とを挟み込み、第２のリード２２のサブ当接段２２２と、接合された雄コネクタ２０における第２のリード２２の当接段２２１とを安定して電気的に接続する。
【００２９】
図１を参照する。図１に示すように、本考案の実施例１に係る拡張式プラグ受けは、雄コネクタ２０に取り付ける第１のリード２１が、一体成形された当接段２１１及び各サブ当接段２１２を含むか、複数個の導電プレートにより構成されるが、本考案はこれらだけに限定されるわけではない。雄コネクタ２０に取り付ける第２のリード２２は、一体成形された当接段２２１及び各サブ当接段２２２を含むか、複数個の導電プレートにより構成されるが、本考案はこれらだけに限定されるわけではない。
【００３０】
図１及び図２を参照する。図１及び図２に示すように、本考案の実施例１に係る拡張式プラグ受けの第１のリード２１及び第２のリード２２の当接段２１１及びサブ当接段２２２は、９０度に折り曲げられ、雄コネクタ２０の突合せ端２４の端面に対して平行である。本実施例の雄コネクタ２０は、矩形状の形状を有するが、上述した特許文献１のような突出したプラグは備えていない。そのため、使用者が携帯したり使用したりすることが容易である上、当接段２１１，２２１が９０度で曲げられ、雌コネクタ１０の第１のスライド溝１１１及び第２のスライド溝１１２又は他方の雄コネクタにおける第１の雄スライド溝２６２及び第２の雄スライド溝２６３中にスライド可能に係合され、雄コネクタ２０を雌コネクタ１０又は雄コネクタ２０に安定して係合することができるため、外力を受けて分離することを防ぎ、電力を安定的に送電することができる。
【００３１】
図１及び図２を参照する。図１及び図２に示すように、本考案の実施例１に係る拡張式プラグ受けの雌コネクタ１０の各接続部１１には、接地端子１５がそれぞれ設けられ、各接地端子１５は、接地回路（例えば、電源の接地線）と接続される。雄コネクタ２０の各突合せ部２４及び接続端２６は、接地部２７を有する。接地部２７は、雌コネクタ１０の接地端子１５と当接されるか、他方の雄コネクタ２０の接地部２７と当接される。上述した雄コネクタ２０は、そのうちの一つの導電挟持片２３３ａを各接地部２７と電気的に接続する。
【００３２】
本考案の実施例１に係る拡張式プラグ受けは、雌コネクタ１０の電極リード１２，１３と電源との間に制御スイッチ１６が接続される。制御スイッチ１６は、機械式スイッチ又は電子式スイッチでもよいが、本考案はこれだけに限定されるわけではない。
【００３３】
図１１〜図１３を参照する。図１１〜図１３に示すように、本考案の実施例１に係る拡張式プラグ受けの雌コネクタ１０’は、少なくとも１組の電源差し込み口１７を含む。各組の電源差し込み口１７の各穴部１７１，１７２，１７３は、電源導電挟持片１７１ａ，１７２ａ，１７３ａへそれぞれ位置合わせする。一方の電源導電挟持片１７１ａは、第１の電極リード１２と電気的に接続され、他方の電源導電挟持片１７２ａは、第２の電極リード１３と電気的に接続されるか、少なくとも１個の電源導電挟持片１７３ａが接地回路と電気的に接続される。雌コネクタ１０’は、複数個の雄コネクタ２０に接合させて電気製品へ給電する機能を兼ね備え、延長電源として単独で用いることもできる。
【００３４】
本考案の拡張式プラグ受けは、以下（１）及び（２）の長所を有する。
（１）スライド方式により雌コネクタと雄コネクタとを結合するか、雄コネクタと雄コネクタとを結合するため、外力により分離し難いため、給電品質を良好に維持する。
（２）外観には縦長で突出した挿入片が無いため、携帯及び収納が行い易い。
【００３５】
当該分野の技術を熟知するものが理解できるように、本考案の好適な実施例を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１０  雌コネクタ
１０’  雌コネクタ
１１  接続部
１２  第１の電極リード
１３  第２の電極リード
１４  保持壁
１５  接地端子
１６  制御スイッチ
１７  電源差し込み口
２０  雄コネクタ
２０ａ  雄コネクタ
２０ｂ  雄コネクタ
２１  第１のリード
２２  第２のリード
２３  差し込み口
２３ａ  差し込み口
２３ｂ  差し込み口
２４  突合せ部
２５  フック片
２６  接続端
２７  接地部
１１１  第１のスライド溝
１１１ａ  第１の溝壁
１１１ｂ  第２の溝壁
１１２  第２のスライド溝
１１２ａ  第１の壁部
１１２ｂ  第２の壁部
１２１  当接部
１３１  当接部
１４１  第１の係合部
１７１  穴部
１７１ａ  電源導電挟持片
１７２  穴部
１７２ａ  電源導電挟持片
１７３  穴部
１７３ａ  電源導電挟持片
２１１  当接段
２１２  サブ当接段
２２１  当接段
２２２  サブ当接段
２３１  穴部
２３１ａ  導電挟持片
２３２  穴部
２３２ａ  導電挟持片
２３３  穴部
２３３ａ  導電挟持片
２５１  第２の係合部
２６１  保持壁部
２６１ａ  第１のフック部
２６２  第１の雄スライド溝
２６２ａ  第１の壁面
２６２ｂ  第２の壁面
２６３  第２の雄スライド溝
２６３ａ  第１の壁面
２６３ｂ  第２の壁面
【図１】
0003210523.tif 000003
【図２】
0003210523.tif 000004
【図３】
0003210523.tif 000005
【図４】
0003210523.tif 000006
【図５】
0003210523.tif 000007
【図６】
0003210523.tif 000008
【図７】
0003210523.tif 000009
【図８】
0003210523.tif 000010
【図９】
0003210523.tif 000011
【図１０】
0003210523.tif 000012
【図１１】
0003210523.tif 000013
【図１２】
0003210523.tif 000014
【図１３】
0003210523.tif 000015
【図１４】
0003210523.tif 000016